(57)【要約】【課題】標準的な規格機能のトイレットペ−パホルダを所用後に使用する際、巻紙ペ−パロ−ルを手動で回動し巻紙の短片を引っぱり操り出して適宜の長さにしたうえ器具紙切板で切り離なす。上記したように従来器具は巻紙ペ−パロ−ル自体を手動回動し端片を引き出す手間がある。本考案は所用巻紙を引き出し切り離した後に器械的に端片を繰り出しおいて次回の所用にすみやかに供用できるようにする。【解決手段】巻紙端片を引き出すと共に巻紙ペ−パロ−ルが回動し連動する渦巻ゼンマイばねが巻上げられ、ついで所用の長さ位置でペ−パを切断すれば巻上がった渦巻ゼンマイばねが巻戻しになり連動する巻紙ペ−パロ−ルを回動し次回の巻紙端片を繰りだしおく。なを渦巻ゼンマイばねは巻上げ巻戻しを行なうが巻紙ペ−パロ−ルは一方向回動で反転はしない。そこでゼンマイの巻上げ巻戻し動作を一方的方向に作動する装置が必要になる。【選択図】図１
2011005203.tif 000002
【特許請求の範囲】
【請求項１】
巻紙ペ−パホルダ（１）の左側外装面（４）内面の器械室（１７）に装着した器械基盤（５）の下右方向側の所定位置に回動連芯軸（７）及び同芯軸（７）から左上方向の所定の傾斜角度と間隔距離位置にゼンマイ芯軸（９）、さらに回動連芯軸（７）軸芯とゼンマイ芯軸（９）軸芯を基点にした二等辺三角形の頂点を所定位置にした介在芯軸（１３）を各々突出形成、回動連芯軸（７）軸中心と対面する右補強板（１４）の所定位置に押込連取付穴（１６）を貫設しゼンマイ芯軸（９）軸中心と対面所定位置に紙切板軸受（１５）を設うけ、回動連芯軸（７）には巻紙回動連（６）を巻紙回動軸孔（２４）で挿入し回動連芯軸（７）の留金溝（２５）に留輪金（２６）をはめこみ装着、押込連取付穴（１６）に押込連軸受（３２）で巻紙押込連（２７）を装着、ゼンマイ芯軸（９）にはゼンマイばね（３８）の初回層に巻込固定筒（３９）の交叉取込溝（４０）を挟み込み固着し筒軸穴でゼンマイ芯軸（９）に装入し固着、外周駆動縁（１１）を輪郭体側円板（４１）に固定したゼンマイ回動盤（８）の固定筒装入穴（４３）で巻込固定筒（３９）外周面に複重装入し回動芯軸として輪郭体側円板（４１）の交叉取込溝（４０）をゼンマイばね（３８）の最上層に挟み込み固着し、外周駆動縁（１１）に成形した摺動曲弦面（４４）を器械基盤（５）に突出し配設した巻込開始突起（４５）と巻戻始終突起（４６）にゼンマイ回動盤（８）のゼンマイばね（３８）を一旦巻込んだ後で摺動曲弦面（４４）左端縁を巻込開始突起（４５）に中間面を巻戻始終突起（４６）に当接しておき、さらに紙切板（４７）の紙切縁（４８）の紙切架設軸筒（４９）の左右両端の円形芯盤に巻込両端で復元追従ばね（５０）を装着した紙切板（４７）の右端縁から突出する架設芯軸（５１）をあらかじめ小径スプリングバネを挿入した紙切板軸受（１５）に挿入し一旦押し込んで左端縁から突出する架設芯軸（５１）を先きにワッシヤ円板を外周面に装入した巻込固定筒（３９）軸芯穴に装入し紙切板（４７）右端縁と紙切板軸受（１５）の間隙に蹄形留輪（５４）をはめ込み装着し、ついで巻紙芯管（２）及び巻紙回動盤（１０）とゼンマイ回動盤（８）の連係動作を中介する介在駆動輪（１２）は外周駆動縁（１１）を巻紙回動盤（１０）の外周駆動縁（１１）には常時摺接しゼンマイ回動盤（８）の外周駆動縁（１１）に対してはゼンマイ回動盤（８）の動作方向から連動摺接するようにもした介在芯軸（１３）に装入着し、巻紙端片（３）を引っぱり繰出し巻紙芯管（２）及び巻紙回動盤（１０）を回動せしめればゼンマイ回動盤（８）のゼンマイばね（３８）が巻上げられ、巻紙端片（３）を紙切板（４７）の紙切縁（４８）で切り離せば、ゼンマイ回動盤（８）のゼンマイばね（３８）が巻戻しゼンマイ回動盤（８）は巻紙回動盤（１０）との摺接離脱し介在駆動輪（１２）に摺接し、介在駆動輪（１２）は巻紙回動盤（１０）と巻紙芯管（２）が回動し次回所用に備えるために巻紙端片（３）が繰り出るようにした巻紙ペ−パホルダ。
【発明の詳細な説明】
【技術分野】
【０００１】  一般生活における巻紙ペ−パホルダの巻紙端片を繰り出す装置に関連する考案である。
【背景技術】
【０００２】  従来のペ−パホルダ−は巻紙ペ−パロ−ルを所用する際に巻紙端片と器具の紙切板端縁が同一に重なり取り出しにくい、そこで紙切板の初動作で簡単な器械装置で巻紙を回動し巻紙の端片を繰り出す方途を既に歯車とばねを使用した出願があり、又単独の押込紙切板の初動作による器械装置で巻紙を回動し巻紙端片を繰り出す器具を提案している。しかしながら既案は重複した紙切板あるいわ紙切板の後面を押込んで使用する事になっている。【０００３】
【出願文献１】
特願２００７−３０９４２４  発明名称  巻紙保持器具
【出願文献２】
特願２００８−１９４１２７  発明名称  半自動巻紙ホルダ
【出願文献３】
特願２００８−３３１３９５  発明名称  ワンタッチ巻紙ホルダ
【発明の開示】
【０００４】  ペ−パホルダの巻紙端片繰出装置は従来のペ−パホルダ−の巻紙ロ−ルを所用の都度に手まわしで端片を引き出す方途と相違し、設置初回及び巻紙ロ−ル付け替えの際に端片を手動で出しおけば後は所用都度に器械装置で巻紙を回動し巻紙端片を繰出すようになる。
【発明が解決しようとする課題】
【０００５】  従来のペ−パホルダ−を使用する場合は巻紙を正面方向（手前）に手廻しするが逆方向に手廻しすることもある、しかし本案は正面一方向に回動するようにしておく。
【０００６】  本案器械装置は繰り出ている巻紙端片を引っぱり出す際に動力のゼンマイばねを巻上げ紙切板の切り離しによりゼンマイばねの巻戻しで新に次回の巻紙端片を繰り出すようにしゼンマイばね巻上巻戻し反転を利用、又巻紙ペ−パロ−ルの回動を正面方向に回動する。
【発明の効果】
【０００７】  ペ−パホルダの巻紙端片繰出装置は簡単な器械装置で巻紙端片を繰り出し手間を省く。
【発明を実施するための最良の形態】
【０００８】  図１及び図２と図３に示す巻紙ペ−パホルダ１の左側外装面４の内側面に装入添着した器械基板５の下右方向側の所定位置に巻紙回動連６を装入する回動連芯軸７及び回動連芯軸７の軸中心から左上方向の所定傾斜角度離間距離の所定位置にゼンマイ回動盤８の芯軸となるゼンマイ芯軸９を突出形成、また巻紙回動連６の左端の巻紙回動盤１０の外周駆動縁１１とゼンマイ回動盤８の外周駆動縁１１の両方の外周駆動縁１１と当接摺動する介在駆動輪１２の介在芯軸１３を所定位置に突出配設し、さらにゼンマイ回動盤８のゼンマイ芯軸９の軸中心と対面する右補強板１４の所定位置に紙切板軸受１５を配設、さらにまた同じく右補強板１４に回動連芯軸７の軸中心と対面位置に押込連取付穴１６を貫設する。【０００９】  図２に示す左側外装面４内面域を器械室１７及び所定離間位置の右補強板１４との空間を巻紙挿着空間１８に右補強板１４と右側外装面１９の空間を押込連装置室２０となる。【００１０】  図２及び他図に示す回動連芯軸７に装入する巻紙回動連６は巻紙回動盤１０と巻紙回動突起２１を合体し巻紙支切円板２２を右端から装入固着、巻紙回動突起２１の先端形状は巻紙芯管２の芯管穴の内径同等にし元端になるほど太径にし外周縁に傘歯形溝２３を刻設し先端面は球面状にし図示のように巻紙回動連６の中心に巻紙回動軸孔２４を貫設する。【００１１】  図２に示す回動連芯軸７に巻紙回動連６を巻紙回動軸孔２４で挿入したうえ、あらかじめ回動連芯軸７の先端縁に周設した留金溝２５に留輪金２６をはめ込み装入着する。【００１２】  図１と図２と図７に示す左側外装面４の回動連芯軸７と対面する右補強板１４の所定位置の押込連取付穴１６に巻紙芯管２の回動支援動作をする巻紙押込連２７を装入着する。【００１３】  図１と図２と図７に示す巻紙押込連２７左端の巻紙押込盤２８と押込軸筒２９は一体と成して右端周縁を鍔フランジ３０に形成、さらに押込軸筒２９の筒体直径を左端縁の太めから右端縁にかけて細めにテ−パ成形し筒中心に押込筒軸穴３１を孔設する。【００１４】  押込連軸受３２の軸孔内径を押込軸筒２９の直径太め同等にし押込連取付穴１６に挿着する外周取付溝３３の直径を押込連取付穴１６の内径同等にし押込連軸受３２の任意位置を縦断して一筋割目３４を成形し拡大縮小の弾力性をもたし、ついで押込連取付穴１６に押込連軸受３２及び巻紙押込連２７を装入する。【００１５】  図１と図２と図７に示すように先ず押込軸筒２９の押込筒軸穴３１に鋼球３５を挿入しついでＴ形芯棒３６をつづいて伸縮ばね３７を装入し、伸縮ばね３７の右端から巻紙押込軸受３２の直径を拡大し鍔フランジ３０を貫通挿入したところで伸縮ばね３７の右端から巻紙挿着空間１８側より押込連取付穴１６に挿し込み押込軸筒２９の直径細め位置で押込連軸受３２の直径を一旦縮小し外周取付溝３３で押込連取付穴１６に装入着し巻紙押込連２７を右方向側え押し込み伸縮ばね３７の右端が右側外装面１９の内面に当接した位置で巻紙押込連２７の実用動作を行うが装置全体が抜け出ることはない。【００１６】  図１及び図２と図３と他図に示すようにゼンマイ芯軸９には反時計回わりに巻き込んだゼンマイばね３８の中心端片に挿着した巻込固定筒３９及びゼンマイばね３８の外周先端に挿着しさらに外周駆動縁１１を付着したゼンマイ回動盤８を装入、ゼンマイ回動盤８は外周駆動縁１１により巻紙回動盤１０の外周駆動縁１１の周面と摺接連動する。【００１７】  各図に示すようにゼンマイばね３８は帯状ばねを所定どをりの形状に複数回巻込むが、ゼンマイばね３８一層の厚み及び横幅の規格強度は本考案製品仕様により異なる。【００１８】  各図に示す原動用に複数回層の渦巻状に形成したゼンマイばね３８の中心初回層に巻込固定筒３９左端の縦長一面に成形した交叉取込溝４０を挿入しゼンマイばね３８一層を交叉取込溝４０で挟込み固着、ついでゼンマイ回動盤８を巻込固定筒３９に重複挿入する。【００１９】  ゼンマイ回動盤８は輪郭体側縁板４１に成り輪郭体の中空はゼンマイばね３８のゼンマイ動作穴４２に輪郭体の円周幅一面に交叉取込溝４０を成形し輪郭体内径はゼンマイばね３８の所定外周径に同似、また輪郭体外周径は外周に装着する外周駆動縁１１の所定内径に成り中心軸に巻込固定筒３９に装入する直径の大きめの固定筒装入穴４３を貫設する。【００２０】  ゼンマイ回動盤８を固定筒装入穴４３で巻込固定筒３９の右端から装入しゼンマイばね３８の最上層片に交叉取込溝４０を挟込み上層片を輪郭体外周を一周し最端片を交叉取込溝４０内に折込んでゼンマイばね３８を保持したゼンマイ回動盤８及び巻込固定筒３９のゼンマイ回動盤８に外周駆動縁１１を付着する。（交叉取込溝４０の角は面取上加工。）【００２１】  図２及び他図に示すように外周駆動縁１１はゼンマイ回動盤８を軸芯盤（フランジ）にして車のタイヤ取付状に装着する、この際、摺動脱落防止に接着剤で装着、さらに複数の皿小ねじで外周駆動縁１１を貫ら抜いて輪郭体側縁板４１にねじ留め固着する。また厚み幅は適宜に本器仕様所定規格並。（なを、皿小ねじは袋ねじ溝に堅実にねじ込む。）【００２２】  なを各図に示すように巻込固定筒３９はゼンマイ芯軸９にノックピンで固着している。【００２３】  また各図に示すように巻紙回動盤１０及び介在駆動輪１２には外周駆動縁１１を別体として付着せず巻紙回動盤１０と介在駆動輪１２の周縁を外周駆動縁１１としている。【００２４】  さらに各図に示すゼンマイ回動盤８に付着した外周駆動縁１１は所定の位置に図９及び図１０にも示すように外周駆動縁１１の円周縁の部位範囲に摺動曲弦面４４を成型する。【００２５】  ゼンマイ回動盤８の外周駆動縁１１の摺動曲弦面４４は、巻紙端片３を手動で引っぱり出した際に巻紙芯管２と連動する巻紙回動盤１０が回動し、巻紙回動盤１０の外周駆動縁１１によりゼンマイ回動盤８の外周駆動縁１１に摺接しゼンマイ回動盤８を回動する。【００２６】  さらに巻紙芯管２は全図に示すように時計回り（手前側）の一方向回動だが、ゼンマイ回動盤８はゼンマイばね３８を巻上げるときは反時計回りし巻戻しのときは反転する。【００２７】  そこで器械基板５に介在芯軸１３を突設して介在駆動輪１２を挿入装着したうえ、巻紙回動盤１０には常時圧接しておき、ゼンマイ回動盤８には図３及び図７に示すように元状態時に限り圧接するようにしゼンマイばね３８の巻上のときには圧接開放せられる。なを介在駆動輪１２は介在芯軸１３を芯軸に左右従回動��ゼンマイ回動盤８が所定回動する。【００２８】  ゼンマイ回動盤８の回動位置の移動は外周駆動縁１１の摺動曲弦面４４と巻込開始突起４５および巻戻始終突起４６との所定した基準位置の当接により行なはれる。【００２９】  図９に示すように巻戻始終突起４６の状態基準位置は、ゼンマイ回動盤８中心軸と介在駆動輪１２中心軸を経過する中心線上でゼンマイ回動盤８の外周縁に沿い、しかも外周縁内に少し入り込む所定位置にして器械基盤５に配設する。これわゼンマイ回動盤８の摺動曲弦面４４と巻戻始終突起４６の当接を介在駆動輪１２の方向に押込むようにする。【００３０】  図１０に示すように巻込開始突起４５の基準位置は、ゼンマイ回動盤８中心軸と巻紙回動盤１０中心軸を経過する中心線の左方向にゼンマイ回動盤８の外周縁沿いを中心軸にした所定位置にして器械基盤５に配設する。これわゼンマイ回動盤８の摺動曲弦面４４と巻込開始突起４５を当接せしめおき、巻紙端片３を引っ張り出し巻紙芯管２を回動しゼンマイばね３８を巻上げるために当接するゼンマイ回動盤８の介在駆動輪１２との方向から巻紙回動盤１０との連動に向わせしめることになる。【００３１】  巻込固定筒３９はゼンマイ芯軸９に固着されているがゼンマイ回動盤８は固定筒装入穴４３で巻込固定筒３９に装入し回転軸とする。この際ゼンマイ回動盤８の外周駆動縁１１の摺動曲弦面４４を巻込開始突起４５と巻戻始終突起４６にはめ合わせるが、いっ旦ゼンマイ回動盤８を時計廻わりにゼンマイばね３８をひとまわり巻込んで巻もどし復元能力を付加したうえ、摺動曲弦面４４の左側端を巻込開始突起４５に当接せしめれば巻戻始終突起４５は摺動曲弦面４４の中途位置に当接しゼンマイ回動盤８は所定位置に装着される。またゼンマイ回動盤８の所定回動作範囲は巻紙端片の長さに等しい４／１周回である。【００３２】  ついで紙切板４７を装着する。各図に示すように紙切板４７の縦長前縁を紙切縁４８にし後側縁を紙切架設軸筒４９にし両端周縁を段差し突起する小径の円形芯を形成する。【００３３】  つぎに１本のばね伸材を二双状に成形した復元追従ばね５０の巻込両端を紙切板４７の紙切架設軸筒４９両端の円形芯に挿着し、二双状の上部分を紙切板４７を押し付ける上面に当ておき、下部は巻紙芯管２の側面に当接するようにした復元追従ばね５０を付設。【００３４】  ついで紙切架設軸筒４９軸心の右端からあらかじめ孔設した架設軸穴に所定長さの架設芯軸５１を装入し右端に突出した所定の位置を段差縮径し小径丸軸にしておき、先ず紙切架設芯筒４９左端に突出する架設芯軸５１をゼンマイ芯軸９に前もって孔設した中心軸孔に装入する。ゼンマイ芯軸９には先に巻込固定筒３９が固着せられ次にゼンマイ回動盤８を装入されているが此のゼンマイ回動盤８のゼンマイ芯軸９中心軸左右の遊動防止にゼンマイ回動盤８右端にワッシヤ円板を挿入当てたうえ紙切板４７の架設芯軸５１を装入懸架すると共に紙切架設軸筒４９右端から突出する架設芯軸５１を一旦紙切架設軸筒４軸穴内に押込み小径丸軸の部位を右補強板１４の小径スプリングバネを挿入した紙切板軸受１５に差し込んで装着した復元追従ばね５０の右端と右補強板１４の紙切板軸受１５の間隙に露出した架設芯軸５１に蹄形留輪５４を挿し込み紙切板４７を装着する。又、なを紙切板４７自体はもとよりゼンマイ回動盤８をも定着しないのは本考案巻紙ペ−パホルダは使い切りではなく万が一の器械部位の保守修理交換点検メンテナンスに必要上である。【００３５】  また巻紙回動盤１０の外周駆動縁１１の所定位置に回動自在凹縁５５を形成しておく。【００３６】  巻紙回動連６及び巻紙押込連２７の素材は硬質でも良いが、ゼンマイ回動盤８の外周駆動輪１１及び介在駆動輪１２は摺接回動上のため柔軟性は必要である。【００３７】  各図に示す巻紙ペ−パホルダ１の背面外装５２所定位置に器具取付穴５３を配設する。
【実施例】
【００３８】  巻紙ペ−パホルダの設置用は使用箇所壁面に背面外装５２の器具取付穴５３に取付ねじで取付け、或るいわ専用スタンドに装着し任意移動用は身近に持ち歩いて適宜場所に置きまたわ御座敷専用スタンドを使用する。【００３９】  所用するには先ず、巻紙ペ−パホルダ１の巻紙挿着空間１８下面より巻紙芯管２を紙切板４７と二股になる巻紙追従ばね５０の間隙に挿入し紙切縁４８を巻紙芯管２上面にのせ巻紙追従ばね５０に巻紙芯管２を押しあてながら、巻紙芯管２の右端を巻紙押込盤２８に当接し左端を巻紙回動突起２１に挿入すれば巻紙ペ−パホルダ１に挿着したことになる。【００４０】  初回の使用開始は巻紙芯管２を手動で回動し巻紙端片３を適宜の長さに引き出しおく。【００４１】  図３及び図９に示す元状態は巻紙回動盤１０に装着した巻紙芯管２の巻紙端片３が繰り出てゼンマイ回動盤８の摺動曲弦面４４左端縁が巻込開始突起４５に当接し巻戻始終突起４６は摺動曲弦面４４の左右両端縁の中間位置に存る、図示する案件器械配置はゼンマイ回動盤８の外周駆動縁１１を介在芯軸１３の外周駆動縁１１に圧接し、巻紙回動盤１０の外周駆動縁１１には接触する、これは摺動曲弦面４４の曲周縁の左右両端縁はゼンマイ回動盤８中心軸から等距離だが中央になるほど遠隔距離になる。つまりゼンマイ回動盤８の外周駆動縁１１の摺動曲弦面４４左右端縁が巻込開始突起４５及び巻戻始終突起４６に当接するときは正円回動に位置し、摺動曲弦面４４中央位置が巻込開始突起４５および巻戻始終突起４６に近接動作するほどゼンマイ回動盤８の外周駆動縁１１を押出し介在駆動輪１２の外周駆動縁１１また巻紙回動盤１０の外周駆動縁１１に当接する。【００４２】  所用のときは前もって繰り出た巻紙端片３を手動で必要の長さに引き出し巻紙芯管２を複数回にわたり回動せしめるが直動する巻紙回動盤１０の外周駆動縁１１は摺接連動するゼンマイ回動盤８の外周駆動縁１１も周回動作する。ところがゼンマイ回動盤８は１／４周回でゼンマイばね３８を反時計回りに巻上げして所定位置で反転し巻戻しをおこなう。図５はこの際の摺動曲弦面４４の動作で反時計回りし巻込開始突起４５でゼンマイ回動盤８を巻紙回動盤１０方向え押出し巻込始終突起４６で介在駆動輪１２との圧接を緩める。【００４３】  図５及び図１０に示すゼンマイ回動盤８のゼンマイばね３８巻上巻戻し反転所定位置で巻紙端片３を引き出し巻紙芯管２を複数回動せしめなければならない。ゼンマイ回動盤８の外周駆動縁１１と巻紙回動盤１０の外周駆動縁１１の回動摺接停止箇所に形成した凹縁になる回動自在凹縁５５で巻紙回動盤１０の外周駆動縁１１が当着しゼンマイ回動盤８の回動作を一時とどまったところで巻紙端片３を引っぱり出し紙切板４７の紙切縁４８で切り離なせばゼンマイ回動盤８は回動自在凹縁５５の当接解除でゼンマイバネ３８の時計回り巻戻しで介在駆動輪１２に摺接連動し介在駆動輪１２は反時計回りで巻紙回動盤１０を時計回りにし直動する巻紙芯管２を回動し巻紙端片３を繰出しおき次回所用にそなえる。【００４４】  図６と図７（図３と同じ元状態図）は図５においてゼンマイ回動盤８の摺動曲弦面４４の中央位置が巻込開始突起４５に当接する反時計回わりして巻紙回動盤１０���摺接し、同時に摺動曲弦面４４の右端縁が巻戻始終突起４６に当接してゼンマイ回動盤８の介在駆動輪１２との摺接を解除するが図６はゼンマイ回動盤８のゼンマイバネ３８の正時計回わりの迅速な巻戻しにより図４の逆行程の動作で図７（図３）の元状態に復帰してゆく。
【産業上の利用可能性】
【００４５】  ペ−パホルダの巻紙端片繰出装置は従来からのトイレ或るいわ洗面所等のように屋内外の衛生所設備だけでわなしに外装デザインの使い勝手により屋内居住区用に提供したい。
【図面の簡単な説明】
【００４６】
【図１】  ペ−パホルダの巻紙端片繰出装置の要部展開全体斜視図である。
【図２】  ペ−パホルダの巻紙端片繰出装置の要部縦断展開正面図である。
【図３】  ペ−パホルダの巻紙端片繰出装置の図２Ａ−Ａ線に沿う要部縦断ゼンマイ回動盤の巻戻りした元状態の左側面図である。
【図４】  ペ−パホルダの巻紙端片繰出装置の図３につづく巻紙端片の引出し及びゼンマイばね巻上げ行程途中の左側面図である。
【図５】  ペ−パホルダの巻紙端片繰出装置の図４につづくゼンマイ回動盤の巻上り状態の左側面図である。
【図６】  ペ−パホルダの巻紙端片繰出装置の図５につづく巻紙端片切離しゼンマイばね巻戻り行程途中の左側面図である。
【図７】  ペ−パホルダの巻紙端片繰出装置の図６につづく図３元状態左側面図。
【図８】  ペ−パホルダの巻紙端片繰出装置の図２Ｂ−Ｂ線に沿う紙切板の要部縦断状態の左側面図である。
【図９】  ペ−パホルダの巻紙端片繰出装置の図３の基準線図示である。
【図１０】  ペ−パホルダの巻紙端片繰出装置の図５の基準線図示である。
【符号の説明】
【００４７】１    巻紙ペ−パホルダ
２    巻紙芯管
３    巻紙端片
４    左側外装面
５    器械基盤
６    巻紙回動連
７    回動連芯軸
８    ゼンマイ回動盤
９    ゼンマイ芯軸
１０  巻紙回動盤
１１  外周駆動縁
１２  介在駆動輪
１３  介在芯軸
１４  右補強板
１５  紙切板軸受
１６  押込連取付穴
１７  器械室
１８  巻紙挿着空間
１９  右側外装面
２０  押込連装置室
２１  巻紙回動突起
２２  巻紙支切円盤
２３  傘歯形溝
２４  巻紙回動軸孔
２５  留金溝
２６  留輪金
２７  巻紙押込連
２８  巻紙押込盤
２９  押込軸筒
３０  鍔フランジ
３１  押込筒軸穴
３２  押込連軸受
３３  外周取付溝
３４  一筋割目
３５  鋼球
３６  Ｔ形芯棒
３７  伸縮ばね
３８  ゼンマイばね
３９  巻込固定筒
４０  交叉取込溝
４１  輪郭体側円板
４２  ゼンマイ動作穴
４３  固定筒装入穴
４４  摺動曲弦面
４５  巻込開始突起
４６  巻戻始終突起
４７  紙切板
４８  紙切縁
４９  紙切架設軸筒
５０  復元追従ばね
５１  架設芯軸
５２  背面外装
５３  器具取付穴
５４  蹄形留輪
５５  回動自在凹縁
【図１】
2011005203.tif 000003
【図２】
2011005203.tif 000004
【図３】
2011005203.tif 000005
【図４】
2011005203.tif 000006
【図５】
2011005203.tif 000007
【図６】
2011005203.tif 000008
【図７】
2011005203.tif 000009
【図８】
2011005203.tif 000010
【図９】
2011005203.tif 000011
【図１０】
2011005203.tif 000012
【手続補正書】
【提出日】平成22年6月30日(2010.6.30)
【手続補正１】
【補正対象書類名】明細書
【補正対象項目名】全文
【補正方法】変更
【補正の内容】
【発明の詳細な説明】
【特許請求の範囲】
【請求項１】
巻紙ペ−パホルダ（１）の器械室（１７）に装着した器械基盤（５）の下右方向側の所定位置に回動連芯軸（７）と同芯軸（７）から左上方向所定の傾斜角度と間隔距離位置にゼンマイ芯軸（９）、さらに回動連芯軸（７）軸芯とゼンマイ芯軸（９）軸芯を基点に二等辺三角形の頂点を所定位置にした介在芯軸（１３）を各々突出形成、回動連芯軸（７）軸中心と対面する右補強板（１４）の所定位置に押込連取付穴（１６）を貫設しゼンマイ芯軸（９）軸中心と対面所定位置に紙切板軸受（１５）を設うけ、回動連芯軸（７）には巻紙回動連（６）を巻紙回動軸孔（２３）で挿入し回動連芯軸（７）の留金溝（２４）に留輪金（２５）をはめこみ装着、押込連取付穴（１６）には巻紙押込連（２６）を組込んだ押込連軸受（２７）を装入、ゼンマイ芯軸（９）にはゼンマイばね（３６）の初回層に巻込固定筒（３７）の交叉取込溝（３８）を挟み込み筒軸穴でゼンマイ芯軸（９）に装入固着し、ゼンマイ回動盤（８）の内径右側より輪郭体側円板（３９）を挿着しゼンマイばね動作穴（４０）にゼンマイばね（３６）を包容のうえ固定筒装入穴（４１）で巻込固定筒（３７）に装入し輪郭体側円板（３９）の交叉取込溝（３８）をゼンマイばね（３６）の最上層に挟込み固着したうえ、合体装着したゼンマイ回動盤（８）および輪郭体側円板（３９）とゼンマイばね（３６）を一周巻上たあと、ゼンマイ回動盤（８）に摺動曲弦面（４２）を器械基盤（５）に所定配設した巻込開始突起（４４）と巻戻始終突起（４５）の両方のうち摺動曲弦面（４２）左端縁を巻込開始突起（４４）に中間面を巻戻始終突起（４５）に当接し、さらに紙切板（４６）の紙切縁（４７）の紙切架設軸筒（４８）の左右両端芯軸に復元追従ばね（４９）の巻込両端で装着した紙切板（４６）の右端縁から突出する架設芯軸（５０）を前もって小バネを挿入した紙切板軸受（１５）に挿入し一旦押し込んで左端縁から突出する架設芯軸（５０）をワッシヤ円板を外周面に装入した巻込固定筒（３７）の軸芯穴に装入し紙切板（４６）右端縁と紙切板軸受（１５）の間隙に蹄形留輪（５１）をはめ込み装着、ついで巻紙芯管（２）および巻紙回動盤（１０）とゼンマイ回動盤（８）の動作を中介する介在駆動輪（１２）は外周駆動縁（１１）を巻紙回動盤（１０）の外周駆動縁（１１）に常時摺接しゼンマイ回動盤（８）の外周駆動縁（１１）に対してはゼンマイ回動盤（８）の動作方向から連動摺接するようにし介在芯軸（１３）に装入し、巻紙端片（３）を引出し繰出し巻紙芯管（２）及び巻紙回動盤（１０）を回動せしめればゼンマイ回動盤（８）のゼンマイばね（３６）が巻上げられ、巻紙端片（３）を手動紙切板（４６）の紙切縁（４７）で切りはなせばゼンマイ回動盤（８）は回動自在凹縁（４３）で反転しゼンマイばね（３６）が巻戻りゼンマイ回動盤（８）は巻紙回盤盤（１０）と離脱し介在駆動輪（１２）に摺接し介在駆動輪（１２）は巻紙回動盤（１０）と巻紙芯管（２）が回動し巻紙端片（３）が繰り出るようにした巻紙ペーパホルダ。
【発明の詳細な説明】
【技術分野】
【０００１】  一般生活における巻紙ペ−パホルダの巻紙端片を繰り出す装置に関連する考案である。
【背景技術】
【０００２】  従来のペ−パホルダ−は巻紙ペ−パロ−ルを所用する際に巻紙短片と器具の紙切板端縁が同一に重なり取り出しにくい、そこで紙切板の初動作で簡単な器械装置で巻紙を回動し巻紙の端片を繰り出す方途を既に歯車とばねを使用した出願があり、又単独の押込紙切板の初動作による器械装置で巻紙を回動し巻紙端片を繰り出す器具を提案している。しかしながら既案は重復した紙切板あるいわ紙切板の後面を押込んで使用する事になっている。【０００３】
【出願文献１】
特願２００７−３０９４２４  発明名称  巻紙保持機器具
【出願文献２】
特願２００８−１９４１２７  発明名称  半自動巻紙ホルダ
【出願文献３】
特願２００８−３３１３９５  発明名称  ワンタツチ巻紙ホルダ
【発明の開示】
【０００４】  ペ−パホルダの巻紙端片繰出装着は従来のペ−パホルダ−の巻紙ロ−ルを所用の都度に手まわしで端片を引き出す方途と相違し、設置初回及び巻紙ロ−ル付け替えの際に端片を手動で出しおけば後は所用都度に器械装置で巻紙を回動し巻紙端片を操出すようになる。
【発明が解決しようとする課題】
【０００５】  従来のペ−パホルダ−を使用する場合は巻紙を正面方向（手前）に手廻しするが逆方向に手廻し自在にすることもあり本考案装置は正面一方向に回動したうえ端片を繰り出す。
【課題を解決するための手段】
【０００６】本案器械装置は繰り出る巻紙端片を引っぱり出す際にゼンマイばねを巻上げ、紙切板の切り離しによるゼンマイばねの巻戻しで新に次回の巻紙端片を繰り出すようにしゼンマイばね巻上巻戻反転を利用するため巻紙の正面一方向回動を複数の滑円盤で動作せしめる。
【発明の効果】
【０００７】  ペ−パホルダの巻紙端片繰出装置は簡単装置で巻紙端片を繰り出すように手間を省く。
【発明を実施するための最良の形態】
【０００８】図１と図２及び他図に示す巻紙ペ−パホルダ１の左側外装面４の内側面に装入定着した器械基板５の下右方向側の所定位置に突設した巻紙回動連６を装入する回動連芯軸７及び回動連芯軸７の軸中心から左上方向の所定傾斜角度離間距離位置にゼンマイ回動盤８の芯軸となるゼンマイ芯軸９を突出形成、また巻紙回動連６の左端の巻紙回動盤１０の外周駆動縁１１とゼンマイ回動盤８の外周駆動縁１１の両方と外周駆動縁１１で当接摺動する介在駆動輪１２を装着する介在芯軸１３を二等辺三角形所定頂点に突出配設、またゼンマイ回動盤８のゼンマイ芯軸９の軸中心と対面する右補強板１４の所定位置に紙切板軸受１５を配設し、さらに右補強板１４に回動連芯軸７の軸中心と対面位置に押込連取付穴１６を貫設する。ゼンマイ回動盤８と巻紙回動盤１０と介在駆動輪１１の各外周駆動縁１１の外周面を荒目粗面仕上にし摩擦回動の際に空まわり（スリップ）をしないように成形する。【０００９】  図２に示す左側外装面４内側面を器械室１７及び対面する右補強板１４との空間を巻紙挿着空間１８にして、右補強板１４と右側外装面１９の空間を押込連装置室２０となる。【００１０】図２及び他図に示すように巻紙回動連６は巻紙回動盤１０と巻紙回動突起２１を合体、巻紙回動突起２１の先端形状は巻紙芯管２の芯管穴の内径同等にし元端になるほど太径にし外周縁に傘歯形溝２２を刻設し先端面は球面状にし巻紙回動連６の中心軸に図示のような巻紙回動軸孔２３を貫設し巻紙回動連６の左端から回動連芯軸７の右端から装入する。【００１１】  図２に示す回動連芯軸７に巻紙回動連６を巻紙回動軸孔２３で挿入したうえ、あらかじめ回動連芯軸７の先端縁に周設した留金溝２４に留輪金２５をはめ込み装入着する。【００１２】  図１と図２と図７に示すように器械基盤５の回動連芯軸７軸心と対面する右補強板１４に押込連取付穴１６を孔設し押込連軸受２７を挿着し巻紙押込連２６を装入する。【００１３】図示するように押込連軸受２７は丸筒形で左端周縁を押込連取付穴１６同等外径にし、拡径段差した右側筒体外径は押込連取付穴１６内径より少し拡径し又押込連軸受２７中心軸孔を押込連筒孔２８とし孔内所定位置を縮径段付した伸縮ばね当２９に、また外形縦長寸法は左端周縁を右補強板１４の厚幅にし右側筒体は押込連装置室２０の幅員近似とし、さらに押込連軸受２７の縦長任意位置を縦断して一筋割目３０を成形し弾力性をもたす。【００１４】巻紙押込連２６は粗面状半円形の巻紙押込盤３１と押込軸筒３２の茸形で右円周面を鍔フランジ３３に形成、さらに押込軸筒３２の中心軸に袋穴状の押込筒軸穴３４を孔設し、また、巻紙押込盤３１の押込軸筒３２の鍔フランジ３３外径と押込連軸受２７の押込連筒孔２８内径と余裕近似にし押込連軸受２７を一筋割目３０により自在に拡径縮径し巻紙押込連２６と伸縮ばね３５を押込連軸受２７にさらに押込連取付穴１６に装入容易にする。【００１５】図１と図２と図８に示す押込連軸受２７の押込連筒孔２８左端より筒体を押し拡げながら巻紙押込盤３１を押込軸筒３２右端から挿入し、ついで押込筒軸穴３４に伸縮ばね３５を挿入組込んだうえ、巻紙挿着空間１８側より右補強板１４の押込連取付穴１６に巻紙押込連２６の押込連軸受２７の筒体を縮径しながら押込連取付穴１６に挿入着し巻紙押込連２６を右方向側え押し込み伸縮ばね３５の右端が右側外装面１９の内面に当接した位置で巻紙押込連２６をいつそう押し込めば押込連軸受２７自体の右端が右側外装面１９内面にの当接するとともに、押込連軸受２７左端が押込連取付穴１６にはめこまれ、しかも伸縮ばね３５の伸延動作で鍔フランジ３３左端と伸縮ばね当２９が当接することにより押込連軸受２７は定置し巻紙押込盤３１は伸縮ばね３５により左方向側え押しだしておく。【００１６】図２と図３及び他図に示すように先ずゼンマイ芯軸９に反時計回わりに巻き込んだゼンマイばね３６の初回層に挿着したうえゼンマイ芯軸９にノックピン等で固着した巻込固定筒３７、さらにゼンマイばね３６の外周先端縁に挿着したゼンマイ回動盤８を装入、ゼンマイ回動盤８は外周駆動縁１１により巻紙回動盤１０の外周駆動縁１１と摺接連動する。ゼンマイばね３６は帯状ばねを所定どをりの形状に複数回巻込むが一層の厚みと横幅の規格強度は本考案各製品仕様により異なる。【００１７】ゼンマイばね３６の中心初回層に巻込固定筒３７左端の縦長一面を割筋した交叉取込溝３８を挿入し挟込み固着。ついでゼンマイ回動盤８と輪郭体側円板３９を重複合体する。【００１８】図２と図３に示すように輪郭体側円板３９左側面の円筒桁差込一面に交叉取込溝３８を成形しておき輪郭体側円板３９の円筒桁差込口よりゼンマイ回動盤８内径右側から装入し密接した周円面の所定箇所をネジどめ合体すれば輪郭体側円板３９の中空はゼンマイばね３６のゼンマイ動作穴４０になり輪郭体側円板３９内径はゼンマイばね３６の所定外周径に同似、また輪郭体側円板３９外周径はゼンマイ回動盤８外径に近似になり、中心軸には巻込固定筒３７に装入する直径の大きめの固定筒装入穴４１を貫設する。【００１９】ゼンマイ回動盤８及び輪郭体側円板３９を固定筒装入穴４１で巻込固定筒３７の右端から装入し先に装着したゼンマイばね３６の折曲した最上層端片に交叉取込溝３８を挟み込こんだうえ最端片を交叉取込溝３８内に折込んでゼンマイばね３６を保持する。【００２０】さらに各図面及び特に図９と図１０に示すようにゼンマイ回動盤８の外周駆動縁１１の所定位置に摺動曲弦面４２及び回動自在凹縁４３を配設する。【００２１】  ゼンマイ回動盤８の外周駆動縁１１の摺動曲弦面４２は、巻紙端片３を手動で引っぱりだした際に巻紙芯管２と連動する巻紙回動盤１０が回動し、巻紙回動盤１０の外周駆動縁１１でゼンマイ回動盤８の外周駆動縁１１に摺接しゼンマイ回動盤８を回動し摺動曲弦面４２と回動自在凹縁４３によりゼンマイ回動盤８を動作せしめるものである。【００２２】  巻紙芯管２は全図に示すように時計回り（手前側右まわり）の一方向回動だがゼンマイ回動盤８はゼンマイばね３７を巻上げるときは反時計回りし巻戻しのときわ反転する。【００２３】介在駆動輪１２は器械基盤５に突設した介在芯軸１３を芯軸にして自在回動し、巻紙回動盤１０には図９及び図１０に示すように常時圧接し右左まわり摺動作できるようにし、ゼンマイ回動盤８には図９のように圧接し、図１０に示すように近接しゼンマイ回動盤８の空まわり右左まわり変換摺動作に従動して巻紙回��盤１０に連動する。【００２４】  ゼンマイ回動盤８と介在駆動輪１２の変換摺動作は摺動曲弦面４２と巻込開始突起４４および巻戻始終突起４５との所定回動作による基準位置の当接により行なはれる。【００２５】  図９に示すように巻戻始終突起４５の設定基準位置は、ゼンマイ回動盤８中心軸と介在駆動輪１２の中心軸を経過する中心線上でゼンマイ回動盤８の外周縁に沿い、しかも外周縁内に少し入り込む所定位置の器械基盤５に配設する。これわゼンマイ回動盤８の摺動曲弦面４２と巻戻始終突起４５の当接を介在駆動輪１２の方向に押込むようになる。【００２６】  図１０に示すように巻込開始突起４４の基準位置は、ゼンマイ回動盤８の中心軸と巻紙回動盤１０の中心軸を経過する中心線の左方向にゼンマイ回動盤８の外周縁沿いを中心軸にした所定位置にして器械基盤５に配設する。これわゼンマイ回動盤８の摺動曲弦面４２と巻込開始突起４４を当接せしてめおき、巻紙端片３を引っ張り出し巻紙芯管２を回動しゼンマイばね３６を巻上げるために当接するゼンマイ回動盤８の介在駆動輪１２との方向から巻紙回動盤１０との連動に向わせしめることになる。【００２７】全図に示す巻込固定筒３７はゼンマイ芯軸９に固着しているがゼンマイ回動盤８は固定筒装入穴４１で巻込固定筒３７に装入し回転軸となる。この際ゼンマイ回動盤８の外周駆動縁１１の摺動曲弦面４２を巻込開始突起４３と巻戻始終突起４４にはめ合わせるがいっ旦ゼンマイ回動盤８を時計廻わりにゼンマイばね３６をひとまわり巻込み、巻もどし復元能力を付加したうえ、摺動曲弦面４２の左側端を巻込開始突起４３に当接せしめれば巻戻始終突起４４は摺動曲弦面４２の中途位置に当接しゼンマイ回動盤８を所定位置に装着、またゼンマイ回動盤８の所定回動作範囲は巻紙端片の長さに等しい４／１周回である。【００２８】  ついで紙切板４６を装着する。各図に示すように紙切板４６の縦長前縁を紙切縁４７にし後側縁を紙切架設軸筒４８にし両端周縁を段差し突起する小径の円形芯を形成する。【００２９】  つぎに一本のばね伸材を二双状に成形した復元追従ばね４９の巻込両端を紙切板４６の紙切架設軸筒４８の両端の円形芯に挿着し、二双状の上部分を紙切板４６を押し付ける上面に当ておき、下部は巻紙芯管２の側面に当接するようにした復元追従ばね４９を付設。【００３０】  ついで紙切架設軸筒４８軸心の右端からあらかじめ孔設した架設軸穴に所定長さの架設芯軸５０を装入し右端に突出した所定の位置を段差縮径し小径丸軸にしておき。先ず紙切架設軸筒４８左端に突出する架設芯軸５０をゼンマイ芯軸９に前もって孔設した中心軸孔に装入する。ゼンマイ芯軸９には先に巻込固定筒３７が固着せられ次にゼンマイ回動盤８を装入されているが此のゼンマイ回動盤８のゼンマイ芯軸９中心軸左右の遊動防止にゼンマイ回動盤８右端にワッシヤ円板を挿入当てたうえ紙切板４６の架設芯軸５０を装入懸架すると共に紙切架設軸筒４７右端から突出する架設芯軸５０を一旦紙切架設軸筒４８軸穴内に差し込んで装着した復元追従ばね４９の右端と右補強板１４の紙切板軸受１５の間隙に露出した架設芯軸５０に蹄形留輪５１を挿し込み紙切板４６を装着しておく。なを紙切板４６自体はもとよりゼンマイ回動盤８��も定着しないのは本考案巻紙ペ−パホルダは使い切りではなく万が一の器械部位の保守修理交換点検メンテナンスに必要上である。【００３１】  巻紙回動連６の巻紙押込盤２６の素材は硬質でも良いが、押込連軸受２７及びゼンマイ回動盤８と介在駆動輪１２と巻紙回動盤１０は摺接回動上のため柔軟性は必要である。【００３２】  各図に示す巻紙ペ−パホルダ１の背面外装５２所定位置に器具取付穴５３を配設する。
【実施例】
【００３３】  巻紙ペ−パホルダの設置用は使用箇所壁面に背面外装５１の器具取付穴５２にねじ類で取り付ける。或るいわスタンドに装着し任意移動用は身近に持ち歩いて適宣場所に置く。【００３４】  使用するには先ず、巻紙ペ−パホルダ１の巻紙挿着空間１８下面より巻紙芯管２を紙切板４６と二双になる巻紙追従ばね４９の間隙に挿入し紙切縁４７を巻紙芯管２上面にのせ巻紙追従ばね４９に巻紙芯管２を押しあてながら、巻紙芯管２の右端を巻紙押込盤３１に当接し左端を巻紙回動突起２１に挿入すれば巻紙ペ−パホルダ１に挿着したことになる。【００３５】  初回の使用開始は巻紙芯管２を手動で回動し巻紙端片３を適宜の長さに引き出しおく。【００３６】  図３と図９に示す元状態は、巻紙回動盤１０に装着した巻紙芯管２の巻紙端片３が繰り出しゼンマイ回動盤８の摺動曲弦面４２左端縁が巻込開始突起４４に当接し巻戻始終突起４５は摺動曲弦面４２の左右両端縁の中間位置に存る。図示する案件器械配置はゼンマイ回動盤８の外周駆動縁１１を介在芯軸１３の外周駆動縁１１に圧接し、巻紙回動盤１０の外周駆動縁１１には接触する、これは摺動曲弦面４２の曲周縁の左右両端縁はゼンマイ回動盤８中心軸から等距離だが中央になるほど遠隔距離になる。つまりゼンマイ回動盤８の外周駆動縁１１の摺動曲弦面４２左右端縁が巻込開始突起４４及び巻戻始終突起４５に当接するときは正円回動に位置し、摺動曲弦面４２中央位置が巻込開始突起４４および巻戻始終突起４５に近接動作するほどゼンマイ回動盤８の外周駆動縁１１を押出し介在駆動輪１２の外周駆動縁１１および巻紙回動盤１０の外周駆動縁１１に当接する。【００３７】  使用の際は、前もって繰り出た巻紙端片３を手動で必要の長さに引き出し巻紙芯管２を複数回にわたり回動せしめるが巻紙回動盤１０の外周駆動縁１１は摺接連動するゼンマイ回動盤８の外周駆動縁１１も周回動作する。ところがゼンマイ回動盤８は１／４周回でゼマイばね３６を反時計回りに巻上げして回動自在凹縁４３で反転し巻戻しをおこなう。図５はこの際の摺動曲弦面４２の動作で反時計回りし巻込開始突起４４でゼンマイ回動盤８を巻紙回動盤１０方向え押出し巻込始終突起４５で介在駆動輪１２との圧接を緩める。【００３８】  図５と図１０に示すゼンマイ回動盤８のゼンマイばね３６の巻上巻戻反転で巻紙端片３を引き出し巻紙芯管２を複数度回動せしめなければならない。ゼンマイ回動盤８の外周駆動縁１１と巻紙回動盤１０の外周駆動縁１１の回動摺接停止箇所に形成した回動自在凹縁４３で巻紙回動盤１０の外周駆動縁１１が当着しゼンマイ回動盤８の回転動作を一時に止どまったところで巻紙端片３を引っぱり出し紙切板４６の紙切縁４７で切り離なせばゼンマイ回動盤８は回動自在凹縁４３の当接解除でゼンマイバネ３６の時計回り巻戻しで介在駆動輪１２に摺接連動し介在駆動輪１２は反時計回りで巻紙回動盤１０を時計回りにし直結する巻紙芯管２を回動し巻紙端片３を繰出しておき次回の所用にそなえる。【００３９】  図６と図７（図３と同じ元状態図）は図５においてゼンマイ回動盤８の摺動曲弦面４２の中央位置が巻込開始突起４４に当接する反時計回わりして巻紙回動盤１０に摺接し、同時に摺動曲弦面４２の右端縁が巻戻始���突起４５に当接してゼンマイ回動盤８の介在駆動輪１２との摺接を解除するが図６はゼンマイ回動盤８のゼンマイバネ３７の正時計回わりの迅速な巻戻しにより図４の逆行程の動作で図７（図３）の元状態に復帰してゆく。
【産業上の利用可能性】
【００４０】  ペ−パホルダの巻紙端片繰出装置は世界全人類生活の必要排泄生理所用に屋内あるいわ屋外の衛生的設備に提供するためにエコ性を供なう実用実施化に安価量産を希望します。
【図面の簡単な説明】
【００４１】
【図１】  ペ−パホルダの巻紙端片繰出装置の要部展開全体斜視図である。
【図２】  ペ−パホルダの巻紙端片繰出装置の要部縦断展開正面図である。
【図３】  ペ−パホルダの巻紙端片繰出装置の図２Ａ−Ａ線に沿う要部縦断ゼンマイ回動盤と介在駆動輪と巻紙回動盤とゼンマイばねの元状態左側面図。
【図４】  ペ−パホルダの巻紙端片繰出装置の図３につづく巻紙端片の引出し及びゼンマイばね巻き上げ行程途中の左側面図である。
【図５】  ペ−パホルダの巻紙端片繰出装置の図４につづくゼンマイ回動盤と介在駆動輪と巻紙回動盤とゼンマイばねの巻き上げ状態の左側面図である。
【図６】  ペ−パホルダの巻紙端片繰出装置の図５につづく巻紙端片の切離しゼンマイ回動盤と巻紙回動盤とゼンマイばねの巻き戻り行程途中左側面図。
【図７】  ペ−パホルダの巻紙端片繰出装置の図６につづく図３元状態左側面図。
【図８】  ペ−パホルダの巻紙端片繰出装置の図２Ｂ−Ｂ線に沿う紙切板及び巻紙押込連の要部縦断の左側面図である。
【図９】  ペ−パホルダの巻紙端片繰出装置のゼンマイ回動盤と介在駆動輪と巻紙回動盤によるゼンマイばねの巻き上げの動作基準略解図である。
【図１０】  ペ−パホルダの巻紙端片繰出装置のゼンマイ回動盤と介在駆動輪と巻紙回動盤によるゼンマイばねの巻き戻し反転の動作基準略解図。
【符号の説明】
【００４２】１    巻紙ペ−パホルダ
２    巻紙芯管
３    巻紙端片
４    左側外装面
５    器械基盤
６    巻紙回動連
７    回動連芯軸
８    ゼンマイ回動盤
９    ゼンマイ芯軸
１０  巻紙回動盤
１１  外周駆動縁
１２  介在駆動輪
１３  介在芯軸
１４  右補強板
１５  紙切板軸受
１６  押込連取付穴
１７  器械室
１８  巻紙挿着空間
１９  右側外装面
２０  押込連装置室
２１  巻紙回動突起
２２  傘歯形溝
２３  巻紙回動軸孔
２４  留金溝
２５  留輪金
２６  巻紙押込連
２７  押込連軸受
２８  押込連筒孔
２９  伸縮バネ当
３０  一筋割目
３１  巻紙押込盤
３２  押込軸筒
３３  鍔フランジ
３４  押込筒軸穴
３５  伸縮ばね
３６  ゼンマイばね
３７  巻込固定筒
３８  交叉取込溝
３９  輪郭体側円板
４０  ゼンマイ動作穴
４１  固定筒装入穴
４２  摺動曲弦面
４３  回動自在凹縁
４４  巻込開始突起
４５  巻戻始終突起
４６  紙切板
４７  紙切縁
４８  紙切架設軸筒
４９  復元追従ばね
５０  架設芯軸
５１  蹄形留輪
５２  背面外装
５３  器具取付穴
【手続補正書】
【提出日】平成22年6月30日(2010.6.30)
【手続補正１】
【補正対象書類名】図面
【補正対象項目名】全図
【補正方法】変更
【補正の内容】
【図１】
2011005203.tif 000013
【図２】
2011005203.tif 000014
【図３】
2011005203.tif 000015
【図４】
2011005203.tif 000016
【図５】
2011005203.tif 000017
【図６】
2011005203.tif 000018
【図７】
2011005203.tif 000019
【図８】
2011005203.tif 000020
【図９】
2011005203.tif 000021
【図１０】
2011005203.tif 000022
【手続補正書】
【提出日】平成22年9月7日(2010.9.7)
【手続補正１】
【補正対象書類名】図面
【補正対象項目名】図９
【補正方法】削除
【補正の内容】
【手続補正２】
【補正対象書類名】図面
【補正対象項目名】図１０
【補正方法】削除
【補正の内容】
【手続補正書】
【提出日】平成22年9月7日(2010.9.7)
【手続補正１】
【補正対象書類名】明細書
【補正対象項目名】全文
【補正方法】変更
【補正の内容】
【発明の詳細な説明】
【特許請求の範囲】
【請求項１】
巻紙ペ−パホルダ（１）の器械室（１７）に装着した器械基盤（５）の下右所定位置に回動連芯軸（７）と同芯軸（７）から上左傾斜度所定位置にゼンマイ芯軸（９）、さらに回動連芯軸（７）とゼンマイ芯軸（９）の軸中心を結ぶ二等辺三角形頂点所定位置に介在芯軸（１３）を突出形成、回動連芯軸（７）に巻紙回動連（６）をゼンマイ芯軸（９）にゼンマイ回動盤（８）を介在芯軸（１３）には介在駆動輪（１２）を装入着し、ゼンマイ芯軸（９）軸中心と対面する右補強板（１４）の所定位置に紙切板軸受（１５）を配設し回動連芯軸（７）軸中心と対面する所定位置に押込連取付穴（１６）を貫設、回動連芯軸（７）に巻紙回動連（６）を巻紙回動軸孔（２３）で挿入して回動連芯軸（７）の留金溝（２４）に留輪金（２５）を差し込み装着、押込連取付穴（１６）に巻紙押込連（２６）の押込連軸受（２７）を装入、ゼンマイ芯軸（９）にはゼンマイばね（３６）の初回層に巻込固定筒（３７）の交叉取込溝（３８）を挟み込み軸穴でゼンマイ芯軸（９）に装入固着しゼンマイ回動盤（８）の右内径より輪郭体側円板（３９）を挿着し、ゼンマイ動作穴（４０）にゼンマイばね（３６）を包容し固定筒装入穴（４１）で巻込固定筒（３７）に装入し輪郭体側円板（３９）の交叉取込溝（３８）をゼンマイばね（３６）の上層に挟み込み固着したうえ合体し装着したゼンマイ回動盤（８）及び輪郭体側円板（３９）とゼンマイばね（３６）を一周巻上げながらゼンマイ回動盤（８）の摺動曲弦面（４２）の左端縁を巻込開始突起（４４）に当接せしめ、摺動曲弦面（４２）の中間位置を巻戻始終突起（４５）に当接するように装着、紙切板（４６）の紙切架設軸筒（４８）に装入した架設芯軸（５０）の左右両端芯軸に復元追従ばね（４９）を装着し、さらに紙切板（４６）の右端縁から突出する架設芯軸（５０）に小バネを挿入し紙切板軸受（１５）に挿入一旦押し込み左端縁から突出する架設芯軸（５０）の外周縁にワッシヤ円板を挿着し巻込固定筒（３７）の軸芯穴に装入し紙切板（４６）の右端縁と紙切板軸受（１５）の間隙に蹄形留輪（５１）を挿入、巻紙芯管（２）を装着した巻紙押込盤（３１）と巻紙回動盤（１０）及びゼンマイ回動盤（８）に摺接する介在駆動輪（１２）は外周駆動縁（１１）を巻紙回動盤（１０）の外周駆動縁（１１）に摺接しゼンマイ回動盤（８）の外周駆動縁（１１）に対してもゼンマイ回動盤（８）の左右回動に摺接するよう介在芯軸（１３）に装入し、巻紙端片（３）を繰出し巻紙芯管（２）及び巻紙回動盤（１０）を回動しゼンマイ回動盤（８）のゼンマイばね（３６）が巻上げし巻紙回動盤（１０）の巻紙端片（３）を手動で紙切縁（４７）で切り離なせばゼンマイ回動盤（８）は回動自在凹縁（４３）で反転し、ゼンマイばね（３６）の巻戻し動作でゼンマイ回動盤（８）は巻紙回盤盤（１０）と摺接離間し介在駆動輪（１２）に摺接し介在駆動輪（１２）は巻紙回動盤（１０）と巻紙芯管（２）が回動し巻紙端片（３）を繰り出るようにしたペーパホルダの巻紙端片繰出装置。
【発明の詳細な説明】
【技術分野】
【０００１】  一般生活における巻紙ペ−パホルダの巻紙端片を繰り出す装置に関連する考案である。
【背景技術】
【０００２】  従来のペ−パホルダ−は巻紙ペ−パロ−ルを使用する際に巻紙短片と器具の紙切板端縁が同一に重なり取り出しにくい。そこで紙切板の初動作で簡単な器械装置で巻紙を回動し巻紙の端片を繰り出す方途を既に歯車とばねを使用した出願があり、又単独の押込紙切板の初動作による器械装置で巻紙を回動し巻紙端片を繰り出す器具を提案しているが、既案は重復した紙切板あるいわ紙切板後面を押込み使用する。ペ−パホルダ類は他の日用品と相違し付加機能不用であり本考案も市販品同様に仕組を簡単にし考察発展し擁護を計る。【０００３】
【特許文献１】特願２００７−３０９４２４発明名称  巻紙保持機器具
【特許文献２】特願２００８−１９４１２７発明名称  半自動巻紙ホルダ
【特許文献３】特願２００８−３３１３９５発明名称  ワンタツチ巻紙ホルダ
【発明の開示】
【０００４】  ペ−パホルダの巻紙端片繰出装着は従来のペ−パホルダ−の巻紙ロ−ルを所用の都度に手まわしで端片を引き出す方途と相違し、設置初回及び巻紙ロ−ル付け替えの際に端片を手動で出しておけば所用の都度に簡単器械装置で巻紙を回動し巻紙端片を操出してゆく。
【発明が解決しようとする課題】
【０００５】  従来のペ−パホルダ−を使用する場合は巻紙を正面方向（手前）に手廻しするが逆方向に手廻し自在にすることもあり本考案装置は正面一方向に回動したうえ端片を繰り出す。
【課題を解決するための手段】
【０００６】  本案器械装置は繰り出る巻紙端片を引っぱり出す際にゼンマイばねを巻上げ、紙切板の切り離しによるゼンマイばねの巻戻しで新に次回の巻紙端片を繰り出るようにしゼンマイばね巻上巻戻反転を利用するため巻紙の正面一方向回動を複数の摺接円盤で動作する。
【発明の効果】
【０００７】  ペ−パホルダの巻紙端片繰出装置は簡単装置で巻紙端片を繰り出るように手間を省く。
【発明を実施するための最良の形態】
【０００８】  図１と図２と図３と他図に示す巻紙ペ−パホルダ１の左側外装面４の内側面に装入定着した器械基板５の下右方向側の所定位置に突設した巻紙回動連６を装着する回動連芯軸７および回動連芯軸７の軸中心から左上方向の所定傾斜離間距離位置にゼンマイ回動盤８を装着するゼンマイ芯軸９を突出形成、また回動連芯軸７とゼンマイ芯軸９の軸中心を結ぶ二等辺三角形頂点所定位置に介在芯軸１８を突出配設し巻紙回動連６の左端の巻紙回動盤１０の外周駆動縁１１とゼンマイ回動盤８の外周駆動縁１１の両方と同じように外周駆動縁１１で摺接する介在駆動輪１２を装着する。さらにゼンマイ回動盤８のゼンマイ芯軸９の軸中心と対面する右補強板１４の所定位置に紙切板軸受１５を配設し、さらに右補強板１４に回動連芯軸７の軸中心との対面位置に押込連取付穴１６を貫設する。なをゼンマイ回動盤８と巻紙回動盤１０と介在駆動輪１１の各外周駆動縁１１の外周面を荒目粗面仕上にし摺接回動の際に空まわり（スリップ）をしないように成形する。【０００９】図１と図２と他図に示すように左側外装面４の内側面を器械室１７および対面する右補強板１４との空間を巻紙挿着空間１８にし、右補強板１４と右側外装面１９の空間を押込連装置室２０となり、巻紙挿着空間１８には巻紙芯管２を挿入装着する。【００１０】図１及び図２に示すように巻紙回動連６は巻紙回動盤１０と巻紙回動突起２１を合体、巻紙回動突起２１の先端形状は巻紙芯管２の芯管穴の内径同等にし元端になるほど太径にし外周縁に傘歯形溝２２を刻設し先端面は球面状にし巻紙回動連６の中心軸に図示のような巻紙回動軸孔２３を貫設し巻紙回動連６の左端から回動連芯軸７の右端から装入する。【００１１】  図２に示す回動連芯軸７に巻紙回動連６を巻紙回動軸孔２３で挿入したうえ、あらかじめ回動連芯軸７の先端縁に周設した留金溝２４に留輪金２５をはめ込み装入着する。【００１２】  図１と図２と図８に示すように器械基盤５の回動連芯軸７軸心と対面する右補強板１４に押込連取付穴１６を孔設し押込連軸受２７を挿着し巻紙押込連２６を装入する。【００１３】図示するように押込連軸受２７は丸筒形で左端周縁を押込連取付穴１６同等外径にし、拡径段差した右側筒体外径は押込連取付穴１６内径より少し拡径し又押込連軸受２７中心軸孔を押込連筒孔２８とし孔内所定位置を縮径段付した伸縮ばね当２９に、また外形縦長寸法は左端周縁を右補強板１４の厚幅にし右側筒体は押込連装置室２０の幅員近似とし、さらに押込連軸受２７の縦長任意位置を縦断して一筋割目３０を成形し弾力性をもたす。【００１４】巻紙押込連２６は粗面状半円形の巻紙押込盤３１と押込軸筒３２の茸子形で右円周面を鍔フランジ３３に形成、さらに押込軸筒３２の中心軸に袋穴状の押込筒軸穴３４を孔設、また巻紙押込盤３１の押込軸筒３２の鍔フランジ３３外径と押込連軸受２７の押込連筒孔２８内径と余裕近似にし押込連軸受２７を一筋割目３０により自在に拡径縮径し巻紙押込連２６と伸縮ばね３５を押込連軸受２７にさらに押込連取付穴１６に装入容易にする。【００１５】図１と図２と図８に示す押込連軸受２７の押込連筒孔２８左端より筒体を押し拡げながら巻紙押込盤３１を押込軸筒３２右端から挿入し、ついで押込筒軸穴３４に伸縮ばね３５を挿入組込んだうえ、巻紙挿着空間１８側より右補強板１４の押込連取付穴１６に巻紙押込連２６の押込連軸受２７の筒体を縮径しながら押込連取付穴１６に挿入着し巻紙押込連２６を右方向側え押し込み伸縮ばね３５の右端が右側外装面１９の内面に当接した位置で巻紙押込連２６をいつそう押し込めば押込連軸受２７自体の右端が右側外装面１９の内面に当接するとともに、押込連軸受２７左端が押込連取付穴１６にはめこまれ、しかも伸縮ばね３５の伸延動作で鍔フランジ３３左端と伸縮ばね当２９が当接することにより押込連軸受２７は定置し巻紙押込盤３１は伸縮ばね３５により左方向側え押しだしておく。【００１６】図２と図３および他図に示すように先ずゼンマイ芯軸９に、反時計回わりに巻き込んだゼンマイばね３６の初回層に挿着した巻込固定筒３７をノックピン等でゼンマイ芯軸９に装入固着し、さらに巻込固定筒３７に取り付けたゼンマイばね３６の外周先端縁に挿着したゼンマイ回動盤８を装入、ゼンマイ回動盤８は外周駆動縁１１により巻紙回動盤１０の外周駆動縁１１と摺接する。ゼンマイばね３６は帯状ばねを所定どをりの形状に複数回巻込むが一層の厚みと横幅の規格強度は本考案各製品仕様により異なる。【００１７】巻込固定筒３７は左端の一筋縦長割目にした交叉取込溝３８をゼンマイばね３６に挿入し挟み込み固着。ついでゼンマイ回動盤８と輪郭体側円板３９を重複合体する。【００１８】図２と図３に示すように輪郭体側円板３９の左側周縁面の円筒桁差込一面に交叉取込溝３８を成形しておき、輪郭体側円板３９の円筒桁差込口よりゼンマイ回動盤８の内径右側から装入し密接した周円面の所定箇所をネジどめ合体すれば輪郭体側円板３９の中空はゼンマイばね３６のゼンマイ動作穴４０になり輪郭体側円板３９内径はゼンマイばね３６の所定外周径に同似、また輪郭体側円板３９外周径はゼンマイ回動盤８外径に近似になり、また中心軸には巻込固定筒３７に装入する直径大目の固定筒装入穴４１を貫設している。【００１９】ゼンマイ回動盤８及び輪郭体側円板３９を固定筒装入穴４１で巻込固定筒３７の右端から装入し先に装着したゼンマイばね３６の折曲した最上層端片に交叉取込溝３８を挟み込んだうえ最端片を交叉取込溝３８内に折り込んでゼンマイばね３６を保持する。【００２０】さらに各図面に示すようにゼンマイ回動盤８の外周駆動縁１１の所定位置に摺動曲弦面４２および回動自在凹縁４３を成形配設する。【００２１】ゼンマイ回動盤８の外周駆動縁１１の摺動曲弦面４２は、巻紙端片３を手動で引っぱりだした際に巻紙芯管２と連動する巻紙回動盤１０が回動し、巻紙回動盤１０の外周駆動縁１１でゼンマイ回動盤８の外周駆動縁１１に摺接しゼンマイ回動盤８を回動し摺動曲弦面４２と回動自在凹縁４３の所定作用によりゼンマイ回動盤８を動作せしめるものである。【００２２】  巻紙芯管２は全図に示すように時計回り（手前側右まわり）の一方向回動だがゼンマイ回動盤８はゼンマイばね３６を巻上げるときは反時計左回りし巻戻しのときわ反転する。【００２３】図３と他図に示すように介在駆動輪１２は器械基盤５に突設した介在芯軸１３を芯軸にして回動し、巻紙回動盤１０には常時摺接し右左（正逆右���時計まわり）従動作し、ゼンマイ回動盤８とも摺接しゼンマイ回動盤８の動作に従動し巻紙回動盤１０と摺動する。【００２４】ゼンマイ回動盤８及び介在駆動輪１２と巻紙回動盤１０との摺動作は摺動曲弦面４２と巻込開始突起４４および巻戻始終突起４５との所定当接動作により行なはれる。【００２５】図３に示すゼンマイ回動盤８の巻戻始終突起４５の取付位置はゼンマイ回動盤８中心軸と介在駆動輪１２の中心軸を経過する中心線上頂点でゼンマイ回動盤８の外周縁に沿ってしかも外周縁内に少し入り込む所定位置の器械基盤５に突設しゼンマイ回動盤８の摺動曲弦面４２と巻戻始終突起４５の当接を介在駆動輪１２の方向に押込むようにする。【００２６】図３に示すゼンマイ回動盤８の巻込開始突起４４の取付位置はゼンマイ回動盤８中心軸と巻紙回動盤１０の中心軸を経過する中心線左方向側のゼンマイ回動盤８の外周縁に沿ってしかも外周縁内に少し入り込む所定位置にして器械基盤５に突設する。これわゼンマイ回動盤８の摺動曲弦面４２と巻込開始突起４４を当接せしめておき、巻紙端片３を引っ張り出し巻紙芯管２を回動しゼンマイばね３６を巻上げるために当接するゼンマイ回動盤８の介在駆動輪１２との方向から巻紙回動盤１０との摺動に向わせしめることになる。【００２７】全図に示す巻込固定筒３７はゼンマイ芯軸９に固着しているがゼンマイ回動盤８の固定筒装入穴４１で巻込固定筒３７に装入し回転軸となる。この際ゼンマイ回動盤８の外周駆動縁１１の摺動曲弦面４２を巻込開始突起４３と巻戻始終突起４４にはめ合わせるが一旦ゼンマイ回動盤８を時計廻わりにゼンマイばね３６をひとまわり巻込み、巻もどし復元能力を付加したうえ、摺動曲弦面４２の左側端を巻込開始突起４４に当接せしめれば巻戻始終突起４４は摺動曲弦面４２の中央位置に当接したところでゼンマイ回動盤８を所定位置に装着、又ゼンマイ回動盤８の所定回動作は巻紙端片の長さに等しい４分１周回である。【００２８】ついで紙切板４６を装着する。各図に示すように紙切板４６の縦長前縁を紙切縁４７にし後側縁を紙切架設軸筒４８にし両端周縁を段差し突起する小径の円形芯を形成する。【００２９】  つぎに一本のばね伸材を二双状に成形した復元追従ばね４９の巻込両端を紙切板４６の紙切架設軸筒４８の両端の円形芯に挿着し二双状の上部分を紙切板４６の上面に当ておき下部は巻紙芯管２の側面に当接するようにして復元追従ばね４９を付設する。【００３０】  ついで紙切架設軸筒４８軸心の右端からあらかじめ孔設した架設軸穴に所定長さの架設芯軸５０を装入し右端に突出する先端を段差縮径し小径丸軸にしておき、先ず紙切架設軸筒４８左端に突出する架設芯軸５０をゼンマイ芯軸９に前もって孔設した中心軸孔に装入する。ゼンマイ芯軸９には先に巻込固定筒３７が固着せられ次にゼンマイ回動盤８を装入されているが此のゼンマイ回動盤８のゼンマイ芯軸９の中心軸左右の遊動防止にゼンマイ回動盤８右端にワッシヤ円板を挿入当てたうえ紙切板４６の架設芯軸５０を装入懸架すると共に紙切架設軸筒４７右端から突出する架設芯軸５０を一旦紙切架設軸筒４８の軸穴内に差し込んで装着した復元追従ばね４９の右端と右補強板１４の紙切板軸受１５の間隙に露出した架設芯軸５０に蹄形留輪５１を挿し込み紙切板４６を装着しておく。なを紙切板４６自体はもとよりゼンマイ回動盤８をも定着しないのは本考案巻紙ペ−パホルダは使い切りではなく万が一の器械部位の保守修理交換点検メンテナンスに必要上である。【００３１】  巻紙回動連６の巻紙押込盤２６の素材は硬質でも良いが、押込連軸受２７及びゼンマイ回動盤８と介在駆動輪１２と巻紙回動盤１０は摺接回動上のため柔軟性は必要である。【００３２】  各図に示す巻紙ペ−パホルダ１の背面外装５２所定位置に器具取付穴５３を配設する。
【実施例】
【００３３】  巻紙ペ−パホルダの設置用は使用箇所壁面に背面外装５１の器具取付穴５２にねじ類で取り付ける。或いわスタンドに装着し任意移動用は身近に持ち歩いて適宜の場所に置く。【００３４】  使用するには先ず、巻紙ペ−パホルダ１の巻紙挿着空間１８下面より巻紙芯管２を紙切板４６と二双になる巻紙追従ばね４９の間隙に挿入し紙切縁４７を巻紙芯管２上面にのせ巻紙追従ばね４９に巻紙芯管２を押しあてながら、巻紙芯管２の右端を巻紙押込盤３１に当接し左端を巻紙回動突起２１に挿入すれば巻紙ペ−パホルダ１に挿着したことになる。【００３５】  初回使用開始は巻紙芯管２を手動で回動し巻紙端片３を適宜の長さに引き出しておく。【００３６】図３及び他図に示す巻戻始終突起４５は摺動曲弦面４２の中央に位置しゼンマイ回動盤８を介在駆動輪１２に当接し巻紙回動盤１０には近接し、巻込開始突起４４は摺動曲弦面４２の左端縁に当接し介在駆動輪１２と巻紙回動盤１０には近接する。巻紙回動盤１０は巻紙端片３の右廻わり一方向で引出動作を行ない。ゼンマイ回動盤８は４分１回動の右左単一往復動作にしてゼンマイばね３６を巻上し巻戻をおこなうものである。【００３７】図１と図２と図３に示す元状態は巻紙回動盤１０に装着した巻紙芯管２の巻紙端片３が紙切板４６の紙切縁４７から繰出し。ゼンマイ回動盤８の摺動曲弦面４２左端縁は巻込開始突起４４に当接し巻戻始終突起４５は摺動曲弦面４２の左右両端縁の中央位置に存る。又ゼンマイ回動盤８の外周駆動縁１１は介在駆動輪１２の外周駆動縁１１に接触し、介在駆動輪１２は外周駆動縁１１で巻紙回動盤１０の外周駆動縁１１に摺接、さらに摺動曲弦面４２の曲周縁の左右両端縁はゼンマイ回動盤８中心から等距離だが中央になるほど遠隔距離になる。つまり、ゼンマイ回動盤８の外周駆動縁１１の摺動曲弦面４２の左右端縁が巻込開始突起４４及び巻戻始終突起４５に当接するときは正円回動に位置し、摺動曲弦面４２中央位置が巻込開始突起４４及び巻戻始終突起４５に近接動作する程ゼンマイ回動盤８の外周駆動縁１１を押出し介在駆動輪１２の外周駆動縁１１に当接する。従がってゼンマイ回動盤８の右左４分１回動の際は摺動曲弦面４２の巻戻始終突起４５と巻込開始突起４４との当接位置で巻紙回動盤１０及び介在駆動輪１２に離接摺動する。【００３８】図４に示す巻紙端片３を引っ張り出し巻紙芯管２を手回動せしめれば巻紙回動盤１０の外周駆動縁１１がゼンマイ回動盤８の外周駆動縁１１に摺動作し（この際巻紙回動盤１０は介在駆動輪１２にも摺接し、巻紙回動盤１０は正時計まわり介在駆動輪１２は反時計まわりに従動し、さらにゼンマイ回動盤８とも対向摺動するがゼンマイ回動盤８の反転動作のときは負荷はかからない。）ゼンマイ回動盤８は４分１周回でゼマイばね３６を反時計回り巻上巻戻し反転所定位置の回動自在凹縁４３にて巻紙回動盤１０の外周駆動縁１１と当接しゼンマイ回動盤８は一時停止し、巻紙端片３の引き出し終了と共に巻紙回動盤１０も回動停止すれば、ゼンマイ回動盤８は反転しゼンマイばね３６は巻戻動作する。ゼンマイ回動盤８の摺動曲弦面４２の動作で反時計回りしながら巻込開始突起４４でゼンマイ回動盤８を巻紙回動盤１０方向え押出し巻込始終突起４５で介在駆動輪１２と圧接を緩め、又ゼンマイ回動盤８の摺動曲弦面４２と巻戻始終突起４５の動作は主に介在駆動輪１２に対し余力は巻紙回動盤１０の方に向い往復摺動作し介在駆動輪１２とは対行摺動する。【００３９】図４及び図５に示す巻紙回動盤１０は巻紙端片３の引っぱり動作でゼンマイ回動盤８のゼンマイばね３６の巻上回動で回動自在凹縁４３に当接しゼンマイ回動盤８は回動を一時停止して巻紙回動盤１０は巻紙端片３を引き出し紙切板４６の紙切縁４７で切り離なせばゼンマイ回動盤８は回動自在凹縁４３の巻紙回動盤１０との当接解除でゼンマイ回動盤８のゼンマイばね３６の巻戻しで介在駆動輪１２に摺接して介在駆動輪１２は反時計回りで巻紙回動盤１０を時計回りにし巻紙端片３を繰出し次回の所用にそなえる。【００４０】  図６と図７（図３元状態図）は図５においてゼンマイ回動盤８の摺動曲弦面４２の中央位置が巻込開始突起４４に当接して反時計回わりし巻紙回動盤１０に摺接し、同時に摺動曲弦面４２の右端縁が巻戻始終突起４５に当接してゼンマイ回動盤８の介在駆動輪１２との摺接を解除するが図６はゼンマイ回動盤８のゼンマイばね３６の正時計回わりの迅速な巻戻しにより図４と図５の逆行程の動作で図７（図３）の元状態に復帰してゆく。
【産業上の利用可能性】
【００４１】  ペ−パホルダの巻紙端片繰出装置は世界人類生存に必要な新鋭食糧品調理機器とともに国土民族の区別に関係なく生活の近代化推進と共に排泄生理所用に必要な屋内屋外の衛生設備も刷新され、相当長期需要に対応する為にエコ実用製品化の安価量産を希望します。
【図面の簡単な説明】
【００４２】
【図１】  ペ−パホルダの巻紙端片繰出装置の要部展開全体斜視図である。
【図２】  ペ−パホルダの巻紙端片繰出装置の要部縦断展開正面図である。
【図３】  ペ−パホルダの巻紙端片繰出装置の図２Ａ−Ａ線に沿う要部縦断ゼンマイ回動盤と介在駆動輪と巻紙回動盤とゼンマイばねの元状態左側面図。
【図４】  ペ−パホルダの巻紙端片繰出装置の図３につづく巻紙端片の引出し及びゼンマイばね巻き上げ行程途中の左側面図である。
【図５】  ペ−パホルダの巻紙端片繰出装置の図４につづくゼンマイ回動盤と介在駆動輪と巻紙回動盤とゼンマイばねの巻き上げ状態の左側面図である。
【図６】  ペ−パホルダの巻紙端片繰出装置の図５につづく巻紙端片の切離しゼンマイ回動盤と巻紙回動盤とゼンマイばねの巻き戻り行程途中左側面図。
【図７】  ペ−パホルダの巻紙端片繰出装置の図６につづく図３元状態左側面図。
【図８】  ペ−パホルダの巻紙端片繰出装置の図２Ｂ−Ｂ線に沿う紙切板及び巻紙押込連の要部縦断の左側面図である。
【符号の説明】
【００４３】１    巻紙ペ−パホルダ
２    巻紙芯管
３    巻紙端片
４    左側外装
５    器械基盤
６    巻紙回動連
７    回動連芯軸
８    ゼンマイ回動盤
９    ゼンマイ芯軸
１０  巻紙回動盤
１１  外周駆動縁
１２  介在駆動輪
１３  介在芯軸
１４  右補強板
１５  紙切板軸受
１６  押込連取付穴
１７  器械室
１８  巻紙挿着空間
１９  右側外装面
２０  押込連装置室
２１  巻紙回動突起
２２  傘歯形溝
２３  巻紙回動軸孔
２４  留金溝
２５  留輪金
２６  巻紙押込連
２７  押込連軸受
２８  押込連筒孔
２９  伸縮バネ当
３０  一筋割目
３１  巻紙押込盤
３２  押込軸筒
３３  鍔フランジ
３４  押込筒軸穴
３５  伸縮ばね
３６  ゼンマイばね
３７  巻込固定筒
３８  交叉取込溝
３９  輪郭体側円板
４０  ゼンマイ動作穴
４１  固定筒装入穴
４２  摺動曲弦面
４３  回動自在凹縁
４４  巻込開始突起
４５  巻戻始終突起
４６  紙切板
４７  紙切縁
４８  紙切架設軸筒
４９  復元追従ばね
５０  架設芯軸
５１  蹄形留輪
５２  背面外装
５３  器具取付穴